(57)【要約】【課題】  スライダーからの固形糊の離脱を確実に防止できるとともに、スライダーに、糊装着用筒体を用いて固形糊を装着する際、粘流体状の糊の充填を容易に行うことができ、かつ気泡が抜け易くなるようにした固形糊繰出用容器を提供する。【解決手段】  スライダー８を、案内突条１５によって昇降自在に案内され、かつその上端部９ａから内方に延びる張出部１０を形成した外側筒状体９と、この外側筒状体９における軸線上に配置されるとともに、その上端部１１ａが、外側筒状体９のほぼ下端部９ｂに位置しうるようにして下方に延び、かつネジ杆６が軸線方向に貫通されるように螺合される内側筒状体１１と、この内側筒状体１１と外側筒状体９との間に配設されて、両筒状体９，１１同士を互いに連結する複数の連結杆１３とにより構成する。【選択図】  図１
2008114417.tif 000002
【特許請求の範囲】
【請求項１】
筒体の下端に装着された尾栓の回動により、尾栓と一体に形成されたネジ杆を、筒体内で回動させることによって、そのネジ杆との螺合と、筒体内周面に軸線方向に設けた案内突条による案内とによって、筒体内を軸線方向に往復動しうるスライダーを備え、このスライダーに、棒状の固形糊を装着させて、筒体の上端開口より固形糊の上端部を出没させるようにした固形糊繰出用容器において、
スライダーを、前記案内突条によって昇降自在に案内され、かつその上端部から内方に延びる張出部を形成した外側筒状体と、この外側筒状体における軸線上に配置されるとともに、その上端部が前記外側筒状体のほぼ下端部に位置しうるようにして下方に延び、かつ前記ネジ杆が軸線方向に貫通されるように螺合される内側筒状体と、この内側筒状体と外側筒状体との間に配設されて、両筒状体同士を互いに連結する複数の連結杆とにより構成したことを特徴とする固形糊繰出用容器。
【請求項２】
前記張出部を、外側筒状体の内周面に沿う環状に形成したことを特徴とする請求項１記載の固形糊繰出用容器。
【請求項３】
前記連結杆を、外側筒状体の下端部と内側筒状体の上端部とを連結しうるように配設したことを特徴とする請求項１記載の固形糊繰出用容器。
【請求項４】
前記連結杆を、平面視において内側筒状体を跨いで外側筒状体の直径方向に配設したことを特徴とする請求項１または３記載の固形糊繰出用容器。
【発明の詳細な説明】
【技術分野】
【０００１】
本発明は、固形糊繰出用容器に関する。
【背景技術】
【０００２】
従来の固形糊繰出用容器においては、図４に示すように、筒体０１の下端に装着された尾栓０２の回動により、尾栓０２と一体に形成されたネジ杆０３を、筒体０１内で回動させることにより、そのネジ杆０３との螺合と、筒体０１の内周面に軸線方向に設けた案内突条０４による案内とによって、筒体０１内を軸線方向に往復動しうるスライダー０５を備えている。
このスライダー０５は、棒状固形糊０６の下端部０６ａが装着される外側筒状体０７と、この外側筒状体０７内の中心軸部にネジ杆０３が螺合して軸線方向に貫通しうるように配設されている内側筒状体０８とからなる有底円筒形を有する。
外側筒状体０７の上端部０７ａには、内方に向けて延びる張出部０９が周方向に形成されており、この張出部０９に、固形糊０６の下端部０６ａを係止させることにより、固形糊０６の抜け防止を図るようになっているとともに、スライダー０５の昇降により、筒体０１の上端開口０１ａより、固形糊０６の上端部０６ｂを出没させるようにしたものが公知である（例えば、特許文献１参照）。
【０００３】
しかし、上記のスライダー０５では、図５に示すように、外側筒状体０７内に、内側筒状体０８が配設されており、外側筒状体０７における張出部０９の内周下端縁０９ａと、内側筒状体０８の上端部０８ａにおける外周上端縁０８ｂとの間の距離ｒが短い。
そのため、使用中に、例えば固形糊０６の筒体０１内からの出没を繰り返す過程において、固形糊０６が筒体０１の内周面に粘着したり、こびり付いたり、あるいは固形糊０６の上端部０６ｂが被塗布面に接着して引っ張られるような引張力Ｆが、固形糊０６対して働くと、この引張力Ｆと、外側筒状体０７の上端部０７ａにおける張出部０９の内周下端縁０９ａと、内側筒状体０８の外周上端縁０８ｂとの間を結ぶ線に対する直角方向の分力ｆ0とがなす角度βも小さくなり、耐力が弱くなるため、亀裂ａ（図４参照）が入り易く、その部位から固形糊０６が千切れて、スライダー０５から離脱し、使用不能となる場合がある。
しかも、使用後に、スライダー０５を筒体０１の上端開口０１ａより取り出す際、外側筒状体０７内に、ねじ杆０３が螺合する内側筒状体０８を配置しているため、外側筒状体０７の突出量が小さく、スライダー０５が取り出しにくい。
また、スライダー０５に、糊装着用筒体を用いて固形糊０６を装着する際には、糊装着用筒体内に粘流体状の糊を流し込んで充填し、冷却して固化させるようになっているが、外側筒状体０７と内側筒状体０８との間への粘流体状の糊の充填がしにくく、また、外側筒状体０７における張出部０９の内周下端縁０９ａと、内側筒状体０８の上端部０８ａにおける外周上端縁０８ｂとの間の距離ｒが短くて、糊の流入路が狭く、かつ、外側筒状体０７が有底のため、気泡の抜けが悪く、糊切れ等の原因となるという問題があった。
【特許文献１】特開２００３−３２０７９４号公報
【発明の開示】
【発明が解決しようとする課題】
【０００４】
本発明は、上記の問題点に鑑み、スライダーからの固形糊の千切れによる離脱を防止することができるとともに、スライダーに、糊装着用筒体を用いて固形糊を装着する際、粘流体状の糊の充填を容易に行うことができ、かつ気泡が抜け易くなるようにした固形糊繰出用容器を提供することを目的としている。
【課題を解決するための手段】
【０００５】
本発明によると、上記課題は、次のようにして解決される。
（１）  筒体の下端に装着された尾栓の回動により、尾栓と一体に形成されたネジ杆を、筒体内で回動させることによって、そのネジ杆との螺合と、筒体内周面に軸線方向に設けた案内突条による案内とによって、筒体内を軸線方向に往復動しうるスライダーを備え、このスライダーに、棒状の固形糊を装着させて、筒体の上端開口より固形糊の上端部を出没させるようにした固形糊繰出用容器において、スライダーを、前記案内突条によって昇降自在に案内され、かつその上端部から内方に延びる張出部を形成した外側筒状体と、この外側筒状体における軸線上に配置されるとともに、その上端部が前記外側筒状体のほぼ下端部に位置しうるようにして下方に延び、かつ前記ネジ杆が軸線方向に貫通されるように螺合される内側筒状体と、この内側筒状体と外側筒状体との間に配設されて、両筒状体同士を互いに連結する複数の連結杆とにより構成する。
【０００６】
（２）  上記（１）項において、前記張出部を、外側筒状体の内周面に沿う環状に形成する。
【０００７】
（３）  上記（１）項において、前記連結杆を、外側筒状体の下端部と内側筒状体の上端部とを連結しうるように配設する。
【０００８】
（４）  上記（１）項または（３）項において、前記連結杆を、平面視において内側筒状体を跨いで外側筒状体の直径方向に配設する。
【発明の効果】
【０００９】
本発明によると、次のような効果を奏することができる。
請求項１記載の発明によれば、スライダーを、案内突条によって昇降自在に案内され、かつその上端部から内方に延びる張出部を形成した外側筒状体と、この外側筒状体における軸線上に配置されるとともに、その上端部が外側筒状体のほぼ下端部に位置しうるようにして下方に延び、かつネジ杆が軸線方向に貫通されるように螺合される内側筒状体とにより構成してあるため、外側筒状体における張出部の内周下端縁と、内側筒状体の上端部における外周上端縁との間の距離を長くすることができき、固形糊に対して引張力が働いても、従前のように、固形糊に亀裂が入りにくくなり、スライダーからの固形糊の千切れによる離脱を防止することができる。
しかも、使用後に、スライダーを筒体の上端開口より取り出す際、外側筒状体の下方に、ねじ杆が螺合する内側筒状体を配置しているため、外側筒状体の突出量を大きくすることができ、スライダーを容易に取り出すことができるとともに、使用後のスライダー内に残った糊を容易に除去することができる。
また、外側筒状体と内側筒状体との間に、それらの間を互いに連結する連結杆が配設されているため、粘流体状の糊が外側筒状体と内側筒状体との間に流れ込み、冷却固化されることにより、連結杆が、固形糊の一端近傍において、固形糊中に埋没した状態となる。
そのため、固形糊がスライダーに強固に係止され、固形糊がスライダーから離脱することが、確実に防止される。
さらに、スライダーに、糊装着用筒体を用いて固形糊を装着する際、粘流体状の糊の充填を行い易く、気泡が抜け易いため、糊切れ等の原因とならない。
【００１０】
請求項２記載の発明によれば、張出部を、外側筒状体の内周面に沿う環状に形成してあるため、外側筒状体の内周面と固形糊の外周面との係止状態が強固となり、固形糊のスライダーからの離脱防止効果を高めることができる。
【００１１】
請求項３記載の発明によれば、連結杆を、外側筒状体の下端部と内側筒状体の上端部とを連結しうるように配設してあるため、固形糊のスライダーからの離脱防止効果を、より一層高めることができる。
【００１２】
請求項４記載の発明によれば、連結杆を、平面視において内側筒状体を跨いで外側筒状体の直径方向に配設してあるため、固形糊のスライダーからの離脱防止効果を、より一層高めることができる。
【発明を実施するための最良の形態】
【００１３】
以下、本発明の実施形態を、図面を参照して詳細に説明する。
図１は、本発明の一実施形態における固形糊繰出用容器を示す縦断面図、図２は、図１のＩＩ−ＩＩ線拡大断面図、図３は、スライダーの拡大縦断面図である。
【００１４】
図１および図２に示すように、本発明の固形糊繰出用容器１は、容器本体２とキャップ３とよりなる。
【００１５】
容器本体２は、筒体４と、その下端部に回動自在に装着された尾栓５と、その上面中央に一体に立設したネジ杆６と、筒体４内に収容される棒状の固形糊７を保持するスライダー８を備えている。
【００１６】
スライダー８は、図３に示すように、外側筒状体９と、この外側筒状体９の内周面における上端部９ａから内方に向けて延びる環状の張出部１０と、外側筒状体９における軸線上に配置された内側筒状体１１と、この内側筒状体１１の内周面に形成されたねじ孔１２と、外側筒状体９の内周面におけるほぼ下端部９ｂと内側筒状体１１の外周面における上端部１１ａとを連結する２本の径方向の連結杆１３（図２参照）とにより構成されている。
【００１７】
内側筒状体１１は、その上端部１１ａが、外側筒状体９のほぼ下端部９ｂに位置する状態で下向きに配設されている。このため、外側筒状体９の上端部９ａにおける張出部１０の内周下端縁１０ａと、内側筒状体１１の上端部１１ａにおける外周上端縁１１ｂとの間を結ぶ距離Ｒは、図５に示す従来構造における同様の距離ｒよりも長く（ｒ＜Ｒ）なっている。
これによって、図５に示す従来構造におけると同様に、固形糊７対して引張力Ｆが働いても、この引張力Ｆと、張出部１０の内周下端縁１０ａと内側筒状体１１の上端部１１ａにおける外周上端縁１１ｂとの間を結ぶ線に対する直角方向の分力ｆとがなす角度αが、図５に示す従来構造における同様の角度βよりも大きく（α＞β）なり、したがって、同じ大きさの引張力Ｆに対して、固形糊７に作用する分力は、本発明における分力ｆが、従来の分力ｆ0よりも小さく（ｆ＜ｆ0）なるため、固形糊７に亀裂が入りにくくなり、スライダー８から固形糊７が千切れて離脱することを有効に防止することができる。
【００１８】
連結杆１３，１３は、図２に示すように、平面視において、内側筒状体１１を挟むように、外側筒状体９の直径方向に配設されている。
【００１９】
内側筒状体１１のねじ孔１２には、尾栓５と一体に形成されたネジ杆６が螺合して、軸線方向に貫通しうるようになっている。
【００２０】
外側筒状体９の外周側面には、軸線方向に延びる複数のスライド溝１４が設けられており、これらスライド溝１４は、筒体４の内周面に軸線方向に形成した案内突条１５に係合され、スライダー８の回動を阻止して、筒体４内を上下方向に往復動させるようにしている。
【００２１】
スライダー８は、尾栓５の回動により、ネジ杆６を、筒体４内で回動させることによって、そのネジ杆６との螺合と、スライド溝１４と案内突条１５による案内とによって、筒体４内を軸線方向に昇降動自在となり、この昇降動作により、固形糊７の上端部７ｂを、筒体４の上端開口３ａより出没させるようになっている。
【００２２】
固形糊７のスライダー８への装着は、次のようにして行われる。
まず、別途用意した糊装着用筒体（図示せず）の内底部に、スライダー８を配設し、上方から糊装着用筒体内に粘流体状の糊を流し込み、糊をスライダー８内の内外両筒状体９，１１間にも、隣接する連結杆１３，１３間から流入させて充填し、冷却して固化させる。
次いで、糊装着用筒体を脱型することによって、棒状の固形糊７の後端部７ａをスライダー８に一体的に装着させる。
これにより、固形糊７の後端部７ａは、糊の固化と共にスライダー８の内外両筒状体９，１１間の内外両周面に付着するとともに、各連結杆１３の固形糊７への埋没及び外側筒状体９の内周面における上端部９ａに形成された環状の張出部１０の固形糊７への食込みにより、スライダー８に強固に係止される。
【図面の簡単な説明】
【００２３】
【図１】本発明の一実施形態における固形糊繰出用容器を示す縦断面図である。
【図２】図１のＩＩ−ＩＩ線拡大断面図である。
【図３】スライダーの拡大縦断面図である。
【図４】従来の固形糊繰出用容器を示す縦断面図である。
【図５】同じく従来のスライダーの拡大縦断面図である。
【符号の説明】
【００２４】
１  固形糊繰出用容器
２  容器本体
３  キャップ
４  筒体
４ａ  上端開口
５  尾栓
６  ネジ杆
７  固形糊
７ａ  後端部
７ｂ  上端部
８  スライダー
９  外側筒状体
９ａ  上端部
９ｂ  下端部
１０  張出部
１０ａ  内周下端縁
１１  内側筒状体
１１ａ  上端部
１１ｂ  外周上端縁
１２  ねじ孔
１３  連結杆
１４  スライド溝
１５  案内突条
０１  筒体
０１ａ  上端開口
０２  尾栓
０３  ネジ杆
０４  案内突条
０５  スライダー
０６  固形糊
０６ａ  後端部
０６ｂ  上端部
０７  外側筒状体
０７ａ  上端部
０８  内側筒状体
０８ａ  上端部
０８ｂ  外周上端縁
０９  張出部
０９ａ  内周下端縁
ａ    亀裂
【図１】
2008114417.tif 000003
【図２】
2008114417.tif 000004
【図３】
2008114417.tif 000005
【図４】
2008114417.tif 000006
【図５】
2008114417.tif 000007